(57)【特許請求の範囲】
【請求項１】
錠筐体と、この錠筐体に把手部の表面が錠筐体の表面と同一になるように格納される錠把手と、この錠把手に抜け防止用固定手段を介して固定的に格納されると共に外筒の外周壁にフラット面と弧状外周壁部を有するシリンダ―錠とから成る錠装置の錠把手とシリンダ―錠との固定構造に於いて、前記抜け防止用固定手段は、前記弧状外周壁部に周方向に沿って形成された凹所形状係合溝と、この凹所形状係合溝の内壁底面と前後対向側面とで形成された所定凹所の幅（シリンダ―錠の軸方向の所定幅）及び深さ（シリンダ―錠の半径方向の所定長）に合うように形成された指先状挿入先端部が差込み係合し、かつ前記錠把手に形成された貫通孔に嵌合する端面コ字型状の係止片と、この係止片を錠把手に固定することができるように係止片の外端部に形成された固着具用貫通孔に挿入されると共に、錠把手の支持部のメネジに螺合する固着具とから成る錠装置の錠把手とシリンダ―錠との固定構造。
【請求項２】
錠筐体と、この錠筐体に把手部の表面が錠筐体の表面と同一になるように格納される錠把手と、この錠把手に抜け防止用固定手段を介して固定的に格納されると共に外筒の外周壁にフラット面と弧状外周壁部を有するシリンダ―錠とから成る扉の錠装置に於いて、前記抜け防止用固定手段は、前記弧状外周壁部に周方向に沿って形成された凹所形状係合溝と、この凹所形状係合溝の内壁底面と前後対向側面とで形成された所定凹所の幅（シリンダ―錠の軸方向の所定幅）及び深さ（シリンダ―錠の半径方向の所定長）に合うように形成された指先状挿入先端部が差込み係合し、かつ前記錠把手に形成された貫通孔に嵌合する端面Ｌ字型状の係止片と、この係止片を錠把手に固定することができるように係止片の外端部に形成された固着具用貫通孔に挿入されると共に、錠把手の支持部のメネジに螺合する固着具とから成る錠装置の錠把手とシリンダ―錠との固定構造。
【請求項３】
錠筐体と、この錠筐体に把手部の表面が錠筐体の表面と同一になるように格納される錠把手と、この錠把手に抜け防止用固定手段を介して固定的に格納されると共に外筒の外周壁にフラット面と弧状外周壁部を有するシリンダ―錠とから成る扉の錠装置に於いて、前記抜け防止用固定手段は、前記弧状外周壁部に周方向に沿って形成された凹所形状係合溝と、この凹所形状係合溝の内壁底面と前後対向側面とで形成された所定凹所の幅（シリンダ―錠の軸方向の所定幅）及び深さ（シリンダ―錠の半径方向の所定長）に合うように形成された板状挿入先端部が差込み係合し、かつ前記錠把手に形成された貫通孔に嵌合する板状の係止片と、この係止片をシリンダ―錠に固定することができるように係止片に形成された固着具用貫通孔に挿入されると共に、シリンダ―錠の外筒の凹所に形成されたメネジに螺合する固着具とから成る錠装置の錠把手とシリンダ―錠との固定構造。
【発明の詳細な説明】
【０００１】
【発明の属する技術分野】
本発明は自動販売機、ロッカー等の扉に取付けられる錠装置の錠把手とシリンダ―錠との固定構造に関する。
【０００２】
【従来の技術】
この種の先行技術の一例は、例えば特開平７−２２９３４０号公報に記載されている。この公開公報には錠装置の全体の構成と共に、錠装置の錠把手とシリンダ―錠との固定構造についても詳細に記述されている。
【０００３】
そこで本願発明の構成と従来のそれとを対比する場合の便宜上、図１６及び図１７を参照に上記従来の技術の構成について簡単に説明する。
【０００４】
図１６で示すように、従来の固定構造は、錠把手１に窓状の貫通孔２が形成され、この貫通孔２内には錠把手１に一体に設けられた支持部３が縦方向に掛け渡されている。一方、錠把手１内に嵌合するシリンダー錠４の外筒の外周壁には、周方向に複数個の係止溝５が等間隔で形成されている。
【０００５】
しかして、シリンダー錠の抜け防止用固定手段６は、錠把手１の貫通孔２に遊嵌合し、かつ、対向する両側壁の挿入端部６ａ、６ａにシリンダー錠４の係止溝５と係合する弧状爪部を有する端面コ字型状の係止片６と、この係止片６の外端部６ｂに形成された固着具用挿入孔７を貫通すると共に、錠把手１の支持部３のメネジ８に螺合するオネジ９とから成る。
【０００６】
しかしながら、上記錠把手１とシリンダ―錠４との固定構造に於いては、図１７で示すような問題点が有った。
【０００７】
すなわち、今仮に錠把手からシリンダ―錠を強制的に引き抜こうとし、左図に示す矢印Ａ（引き抜き）方向に力が作用した場合、右図で示すようにシリンダ―錠４の細い係止溝５を形成するネジ山、又は係止片６の弧状爪部が削れ或いは変形する場合が有る。また係止片６の弧状爪部をシリンダ―錠４の細い係止溝５に係止固定させる構成であることから、シリンダ―錠４の係止溝５と係止片６の弧状爪部との係止乃至位置関係を十分に考慮し、係止溝５や弧状爪部を精度良く形成しなければならない。
【０００８】
【発明が解決しようとする課題】
本発明は以上のような従来の問題点に鑑み、第１の目的は、泥棒が錠把手からシリンダ―錠を強制的に引き抜こうとしても、シリンダ―錠の抜け防止用固定手段を構成する係止片の挿入先端部が容易に削れ、或いは変形しないことである。これにより錠把手からシリンダー錠が抜けないことを期待することができる。また第２の目的は、シリンダ―錠と係止片との係止乃至位置関係を十分に考慮しなくとも（或いは係止片の挿入先端部を精度良く製造しなくとも）、シリンダ―錠と係止片との十分な係止状態を図ることができることである。
【０００９】
【課題を解決するための手段】
本発明の錠装置の錠把手とシリンダ―錠との固定構造は、錠筐体と、この錠筐体に把手部の表面が錠筐体の表面と同一になるように格納される錠把手と、この錠把手に抜け防止用固定手段を介して固定的に格納されると共に外筒の外周壁にフラット面と弧状外周壁部を有するシリンダ―錠とから成る錠装置の錠把手とシリンダ―錠との固定構造に於いて、前記抜け防止用固定手段は、前記弧状外周壁部に周方向に沿って形成された凹所形状係合溝と、この凹所形状係合溝の内壁底面と前後対向側面とで形成された所定凹所の幅（シリンダ―錠の軸方向の所定幅）及び深さ（シリンダ―錠の半径方向の所定長）に合うように形成された指先状挿入先端部が差込み係合し、かつ前記錠把手に形成された貫通孔に嵌合する端面コ字型状の係止片と、この係止片を錠把手に固定することができるように係止片の外端部に形成された固着具用貫通孔に挿入されると共に、錠把手の支持部のメネジに螺合する固着具とから成る。
【００１０】
また本発明の錠装置の錠把手とシリンダ―錠との固定構造は、錠筐体と、この錠筐体に把手部の表面が錠筐体の表面と同一になるように格納される錠把手と、この錠把手に抜け防止用固定手段を介して固定的に格納されると共に外筒の外周壁にフラット面と弧状外周壁部を有するシリンダ―錠とから成る扉の錠装置に於いて、前記抜け防止用固定手段は、前記弧状外周壁部に周方向に沿って形成された凹所形状係合溝と、この凹所形状係合溝の内壁底面と前後対向側面とで形成された所定凹所の幅（シリンダ―錠の軸方向の所定幅）及び深さ（シリンダ―錠の半径方向の所定長）に合うように形成された指先状挿入先端部が差込み係合し、かつ前記錠把手に形成された貫通孔に嵌合する端面Ｌ字型状の係止片と、この係止片を錠把手に固定することができるように係止片の外端部に形成された固着具用貫通孔に挿入されると共に、錠把手の支持部のメネジに螺合する固着具とから成る。
【００１１】
さらに、本発明の錠装置の錠把手とシリンダ―錠との固定構造は、錠筐体と、この錠筐体に把手部の表面が錠筐体の表面と同一になるように格納される錠把手と、この錠把手に抜け防止用固定手段を介して固定的に格納されると共に外筒の外周壁にフラット面と弧状外周壁部を有するシリンダ―錠とから成る扉の錠装置に於いて、前記抜け防止用固定手段は、前記弧状外周壁部に周方向に沿って形成された凹所形状係合溝と、この凹所形状係合溝の内壁底面と前後対向側面とで形成された所定凹所の幅（シリンダ―錠の軸方向の所定幅）及び深さ（シリンダ―錠の半径方向の所定長）に合うように形成された板状挿入先端部が差込み係合し、かつ前記錠把手に形成された貫通孔に嵌合する板状の係止片と、この係止片をシリンダ―錠に固定することができるように係止片に形成された固着具用貫通孔に挿入されると共に、シリンダ―錠の外筒の凹所に形成されたメネジに螺合する固着具とから成る。
【００１２】
【発明の実施の形態】
以下、図面に示す実施例により本発明を詳細に説明する。
【００１３】
図１ないし図８は本発明の第１実施例である。Ｘは図５で示すように自動販売機、ロッカ―などの扉１０に表面１０ａと略同一面になるように取付けられる扉の錠装置である。この錠装置Ｘは、図１で示すように、基本的には扉１０に固定的に取付けられる錠筐体１１と、この錠筐体１１に把手部の表面が錠筐体の表面と同一になるように格納される錠把手２１と、この錠把手に錠の表面が錠把手の表面と略同一になるように格納されるシリンダ―錠３１と、このシリンダー錠３１が錠把手２１から抜けるのを防止する抜け防止用固定手段５０との組み合せから成る。そこで、これらの基本的部材１１、２１、３１、５０を中心にさらに詳しく説明する。
【００１４】
まず錠筐体１１について説明する。１２は周壁がトラック状に形成された嵌合取付部、１３は嵌合取付部１２の前端部に突壁状に周設されたフランジ部、１４は嵌合取付部の後端部の上方寄りの位置に円筒状に突出形成された筒状突出部、１５は嵌合取付部およびフランジ部の前面部に鍵穴形状に形成された嵌合凹所、１６は嵌合凹所１５と直交して連通するように嵌合取付部１２および筒状突出部１４に貫設された錠把手用嵌合孔、１７は嵌合取付部の前記嵌合孔が形成された内壁の適宜部位に形成された収納溝、１８は筒状突出部１４の周壁面の下方に形成された後述する施錠用ラッチと係合する丸または角型の筐体係合孔である。
【００１５】
次に錠把手２１について説明する。２２は錠筐体１１の嵌合取付部１２の嵌合孔１６に遊嵌合する円筒状の挿入胴部、２３は嵌合凹所１５に嵌入する把手部である。この把手部２３と前記挿入胴部２２は全体としてＬ型状に一体成形されている。２４は挿入胴部２２内の前方部に形成されたシリンダ―錠３１用嵌合孔、仮想線で示す符号２５は、挿入胴部２２の後方部に下方の一部を除いて挿入胴部２２の内周壁と隔離し、かつ、挿入胴部と一体に設けられた円筒部である。
【００１６】
２６は円筒部２５に嵌合し、かつ、先端部に角穴２６ａを有する合成樹脂製又は金属製の回動杆である。この回動杆２６の後端部には、施錠用ラッチ２７の突起状被係合部２７ａと係合する係合突起２６ｂが形成されている。又回動杆２６の後端部よりの部位には、周溝２６ｃが形成されている。
【００１７】
２７は円筒部２５の切欠部を有する後端部に嵌合し、かつ、回動杆２６の回動により上下動する施錠用ラッチである。この施錠用ラッチ２７は回動杆２６に対して交差方向に設けられ、その下端部は筐体係合孔１８と符合する図示しないラッチ係合孔から突出可能である。
【００１８】
ところで、錠把手２１の把手部２３と挿入胴部２２との連結部はフランジ２３ａ状に形成され、挿入胴部２２の外壁の適宜部位には前記フランジ２３ａと連設して突起部２２ａが形成されている。この突起部２２ａとフランジ２３ａは同一の面を成している。
【００１９】
しかして、図５及び図６で示すように、４０は前記突起部２２ａあるいは挿入胴部２２の先端部に形成された窓状の貫通孔である。この貫通孔４０の内部には上下の挿入空間４１ａ、４１ｂを設け、これらの挿入空間４１ａ、４１ｂの間には、板状の支持部４２が突起部２２ａあるいは挿入胴部２２に連設している。そして、支持部４２の中心部にはメネジ４３が形成されている。
【００２０】
２８は錠把手２１の挿入胴部２２の内周壁と円筒部２５の外周壁との間に形成された案内空間に組み込まれ、かつ、後端部が錠筐体把手１１の筒状突出部１４から突出するスリ―ブ状ロック部材である。
【００２１】
２９は下端部が施錠用ラッチ２７のバネ収納部に収納され、一方、上端部がスリ―ブ状ロック部材２８のスリ―ブ２８ａに形成された軸方向切欠部２８ｂを貫通して挿入胴部の内壁と圧接するラッチ用の圧縮バネである。
【００２２】
なお、図５で示す符号３０は挿入胴部２２の円筒部２５の後端面とスリ―ブ状ロック部材２８の鍔状ストッパ―壁２８ｃとの間に介装され、かつ、鍵３６でシリンダ―錠３１を解錠操作すると、錠把手２１が錠筐体１１から所要量飛び出すように常に付勢するバネ部材である。また符号２８ｄはスリ―ブ状ロック部材２８の後端部に形成されたオネジ２８ｄで、このオネジ２８ｄには長板状のロック板が固定的に取付けられる。
【００２３】
次にシリンダ―錠３１について説明する。シリンダ―錠３１は本発明の主要部である。このシリンダー錠３１は図示しないピンタンブラ―等を内蔵する。シリンダ―錠３１は前述したように錠把手２１の嵌合孔２４に格納される。
【００２４】
しかして、３２は外筒である。図３及び図４で示すように、この外筒３２の外周壁の上下には回転防止用フラット面３２ａが形成され、このフラット面３２ａを除いた弧状外周壁部には、周方向に凹所形状の係合溝３３が形成されている。３４は前述した回動杆２６の角穴２６ａに嵌入する軸状の駆動体（駆動軸）である。なお、符号３５はシリンダ―錠３１の内筒であり、また３６は普通の一般的な鍵である。
【００２５】
次にシリンダ―錠３１が錠把手２１から抜けないようにする抜け防止用固定手段５０について説明する。この抜け防止用固定手段５０も本発明の主要部である。図７及び図８で示すように、抜け防止用固定手段５０は、シリンダ―錠の凹所形状の係合溝３３に指先状挿入先端部５１ａ、５１ａ（ここで「指先状挿入先端部」とは、図３で示すように、外筒３２の弧状外周壁部に周方向に沿って凹所形状係合溝３３が形成されているが、この凹所形状係合溝３３の内壁底面と前後対向側面とで形成された所定凹所の幅及び深さに合うように形成された所定凹所に差込み係合する部分、つまり、周方向の内壁底面・周方向の前後対向側面・半径方向の深さでもって定義付けることができる軸方向の所定幅と半径方向の所定長から成る所定凹所に差込み係合する部分を意味する。）が差込み係合し、かつ、錠把手の窓状貫通孔４０に嵌合する端面コ字型状の係止片５１と、この係止片５１を錠把手２１の支持部４２に固定することができるように係止片の外端部５１ｂに形成された固着具用貫通孔５２に挿入されると共に、前記支持部４２のメネジ４３に螺合する固着具（オネジ）５３とから成る。なお、繰り返すが、所定凹所の幅とは、シリンダ―錠３１の軸方向の所定幅のことであり、また、所定凹所の深さとは、シリンダ―錠３１の半径方向の所定長のことを言う。
【００２６】
しかして、係止片５１の指先状挿入先端部５１ａの水平方向の横幅（所定凹所の幅に対応或は適合するシリンダ―錠３１の軸方向の所定幅）は、指先状挿入先端部の垂直方向の縦幅（所定凹所の周方向の内壁底面ないし深さに対応或は適合するシリンダ―錠３１の径方向の所定長）と略同じ幅である。また係止片５１の指先状挿入先端部５１ａの先端面は、シリンダ―錠３１の凹所状係合溝３３の内壁底面と面接触するようにやや弧状に形成されている。
【００２７】
上記構成に於いて、まず係止片５１をシリンダ―錠３１の凹所状係合溝３３に係止させる場合について説明する。最初に錠把手２１の窓状貫通孔４０に係止片５１の挿入先端部５１ａ、５１ａを差し込む。この場合係止片５１は、まだ錠把手２１の支持部４２に固定されていない。次に固着具（オネジ）５３を係止片５１の外端部５１ｂの固着具用貫通孔５２に挿入すると共に、ドライバーを用い、錠把手２１の支持部４２のメネジ４３、又はシリンダ―錠３１のメネジに螺合する。そうすると、係止片５１は錠把手２１に固定され、その結果、シリンダー錠３１を錠把手２１から容易に引き抜くことはできない。
【００２８】
次に錠装置Ｘの錠筐体１１、錠把手２１およびシリンダ―錠状３１の関係について説明する。錠筐体１１の嵌合孔１６に錠把手２１が嵌合し、かつ、錠把手２１の嵌合孔２４に格納されたシリンダー錠３１が施錠状態になっている時は、ラッチ２７は圧縮バネ２９のバネ力により錠筐体１１の筐体係合孔１８から突出している。この場合錠把手２１を付勢するバネ部材３０は収縮している。
【００２９】
そこで、シリンダー錠３１の鍵穴に鍵３６を差し込み、駆動体３４を回転して解錠操作をすると、駆動体３４により回動杆２６が回転し、ラッチ２７は、圧縮バネ２９のバネ力に抗して係合解除の方向へ移動し、錠筐体１１の筐体係合孔１８を越え、ラッチ係合孔内に入り込む。そうすると、錠把手２１はバネ部材３０のバネ力により外方向へ押され、図５で示すように錠筐体１１内から所要量飛び出す。この場合錠把手２１の挿入胴部２２に装着されたラッチ２７も錠筐体の筒状突出部１４の内壁をスライドしながら軸方向へ一緒に移動する。
【００３０】
次に錠把手２１が錠筐体１１から飛び出した場合に於いても、シリンダー錠３１は固定手段５０で錠把手２１に固定されているので、そのまま錠把手２１に格納されている。
【００３１】
そこで、シリンダー錠３１を錠把手２１から取り外す時は、固着具５３を緩め、係止片５１の挿入先端部５１ａ、５１ａとシリンダー錠３１の凹所状係合溝３３との係合を解消させる。そうすると、錠把手２１からシリンダー錠３１は引き抜くことが可能と成る。
【００３２】
【実施例】
この欄では図９乃至図１５を参照に第１実施例の主要部の変形例についていくつか説明する。なお、これらの変形例の説明に当たって、第１実施例と同一構成の部分には、同一又は同様の符号を付し、重複する説明を省略する。
【００３３】
まず図９で示す主要部の変形例（便宜上第２実施例という。）は、抜け防止用固定手段５０Ａを複数個（２個）用いている点が第１実施例と異なる。
【００３４】
しかして、この第２実施例の錠把手２１Ａの左右には、一対の窓状貫通孔４０Ａ、４０Ａが形成されていると共に、これらの貫通孔４０Ａ、４０Ａ内には、メネジ４３Ａ、４３Ａを有する支持部４２Ａ、４２Ａが挿入空間４１ａ、４１ｂを形成して横架されている。
【００３５】
したがって、抜け防止用固定手段５０Ａを構成する係止片５１Ａ、５１Ａも２個使用され、これらの係止片５１Ａは、錠把手２１の左右の窓状貫通孔４０Ａ、４０Ａにそれぞれ差し込まれると共に、支持部４２Ａにメネジ４３Ａに螺合する固着具５３Ａ、５３Ａを介し、錠把手２１Ａに固定される。
【００３６】
このように抜け防止用固定手段５０Ａを複数個使用すると、錠把手２１Ａからシリンダー錠３１Ａを引き抜くことは、より一層困難と成る。
【００３７】
次に図１０及び図１１で示す主要部の変形例（便宜上第３実施例という。）は、シリンダー錠３１Ｂの凹所状係合溝３３Ｂの幅（第１実施例と同様である。）を幅広に形成した点と、抜け防止用固定手段５０Ｂの係止片５１Ｂの指先状挿入先端部５１ａ、５１ａの水平方向の横幅が、挿入先端部の垂直方向の縦幅よりも大きい（広い）点が第１実施例と異なる。このように構成しても第１実施例と同様の効果を得ることができる。なお、所定凹所、所定凹所に差込み係合する指先状挿入先端部５１ａ、５１ａの概念は、第１実施例と同じである。
【００３８】
次に図１２及び図１３で示す主要部の変形例（便宜上第４実施例という。）は、錠把手２１Ｃの支持部４２Ｃによって形成される貫通孔４０Ｃの挿入空間４１ａが１個である点と、抜け防止用固定手段５０Ｃの係止片５１Ｃを端面又は断面Ｌ字型状に形成した点である。この第４実施例の場合、係止片５１Ｃの１個の指先状挿入先端部５１ａがシリンダー錠３１Ｃの凹所状係合溝３３Ｃに係合する点で第１実施例よりも効果が劣るが、一応、本発明の課題を達成することができる。なお、所定凹所、所定凹所に差込み係合する指先状挿入先端部５１ａ、５１ａの概念は、第１実施例と同じである。
【００３９】
最後に図１４及び図１５で示す主要部の変形例（便宜上第５実施例という。）は錠把手２１Ｄの貫通孔４０Ｄ内に支持部を形成し、またシリンダ―錠３１Ｄの外筒３２Ｄに形成された凹所形状の係合溝３３Ｄに１個のメネジ４３Ｄを形成し、さらに前記貫通孔４０Ｄに嵌合する係止片５１Ｂを板状或いはブロック状に形成し、係止片５１Ｂは錠把手２１Ｄにではなく、シリンダー錠３１Ｄに前記メネジ４３Ｄに螺合する固着具５３Ｄを介して固定されている点が第１実施例と異なる。このように構成しても本発明の課題を達成することができる。なお、所定凹所、所定凹所に差込み係合する板状挿入先端部５１ａ、５１ａの概念は、第１実施例と実質的に同じである。
【００４０】
【発明の効果】
以上の説明から明らかなように、本発明にあっては次に列挙するような効果がある。
（１）泥棒が錠把手からシリンダ―錠を強制的に引き抜こうとしても、シリンダ―錠の抜け防止用固定手段を構成する係止片の挿入先端部が容易に削れ、或いは変形しない。
（２）シリンダー錠の凹所状係合溝に係止片の挿入先端部を係合させるだけで発明の課題を達成することができるから、係止片の挿入先端部を精度良く製造しなくとも良い。
【図面の簡単な説明】
図１ないし図８は本発明の第１実施例である。図９乃至図１５は第１実施例の主要部の各変形例である。図１６及び図１７は従来の一例を示す各説明図である。
【図１】図１は全体の分解斜視図。
【図２】図２は錠把手と、シリンダー錠と、抜け防止用固定手段との関係を示す斜視図。
【図３】シリンダー錠の斜視図。
【図４】図３の４−４線断面図。
【図５】錠把手が錠筐体から所定量飛び出た状態の説明図。
【図６】錠把手の主要部の縦断面の説明図。
【図７】錠把手と、シリンダー錠と、抜け防止用固定手段との関係を示す説明図（錠把手は仮想線で示す）。
【図８】図７の８−８線に基づく概略断面説明図。
【図９】主要部の変形例（第２実施例）を示す概略断面説明図。
【図１０】主要部の変形例（第３実施例の係止片）を示す斜視図。
【図１１】主要部の変形例（第３実施例のシリンダー錠と係止片との関係）を示す斜視図。
【図１２】主要部の変形例（第４実施例の係止片）を示す斜視図。
【図１３】主要部の変形例（第４実施例の錠把手、シリンダー錠、係止片との関係）を示す概略説明図。
【図１４】主要部の変形例（第５実施例）を示す斜視図。
【図１５】主要部の変形例（第５実施例の錠把手、シリンダー錠、係止片との関係）を示す概略説明図。
【図１６】従来の一実施例を示す説明図。
【図１７】図１６に於ける実施例の欠点を示す説明図。
【符号の説明】
Ｘ…錠装置、１０…扉、１１…錠筐体、２１、２１Ａ、２１Ｃ、２１Ｄ…錠把手、２２…挿入胴部、２３…把手部、２５…円筒部、２６…回動杆、２７…ラッチ、３０…バネ部材、３１、３１Ａ、３１Ｂ、３１Ｃ、３１Ｄ…シリンダー錠、３２、３２Ｄ…外筒、３３、３３Ｂ、３３Ｃ、３３Ｄ…係合溝、４０、４０Ａ、４０Ｃ、４０Ｄ…貫通孔、４２、４２Ａ、４２Ｃ…支持部、４３Ａ、４３Ｄ…メネジ、５０、５０Ａ、５０Ｂ、５０Ｃ…抜け防止用固定手段、５１、５１Ａ、５１Ｂ、５１Ｃ、５１Ｄ…係止片、５１ａ…挿入先端部、５１ｂ…外端部、５２…固着具用貫通孔、５３、５３Ａ、５３Ｄ…固着具。
【図１】
0003989045.tif 000002
【図２】
0003989045.tif 000003
【図３】
0003989045.tif 000004
【図４】
0003989045.tif 000005
【図５】
0003989045.tif 000006
【図６】
0003989045.tif 000007
【図７】
0003989045.tif 000008
【図８】
0003989045.tif 000009
【図９】
0003989045.tif 000010
【図１０】
0003989045.tif 000011
【図１１】
0003989045.tif 000012
【図１２】
0003989045.tif 000013
【図１３】
0003989045.tif 000014
【図１４】
0003989045.tif 000015
【図１５】
0003989045.tif 000016
【図１６】
0003989045.tif 000017
【図１７】
0003989045.tif 000018